(57)【特許請求の範囲】
【請求項１】
建物内の空間を複数の小単位に分割した各当該小単位での風向及び風速に関する風情報を取得する風情報取得手段と、
基点である一の小単位から風が流出する小単位を、当該一の小単位の近傍の小単位の中から、当該一の小単位の前記風情報に基づいて導出する流出先導出手段と、
前記流出先導出手段によって導出された小単位を前記基点として繰り返し前記流出先導出手段を実行する連続導出手段と、
前記連続導出手段による実行過程で得られる連続した小単位に基づいた気流を示す気流情報を表示する気流情報表示手段と、
を備え、
前記流出先導出手段は、一の小単位の前記風情報に基づく風向と、近傍の各小単位の前記風情報に基づく風向とのなす角度を算出し、なす角度が最も小さい、あるいは所定の角度以下の近傍の小単位を、風の流出先の小単位として導出する、
気流表示装置。
【請求項２】
建物内の空間を複数の小単位に分割した各当該小単位での風向及び風速に関する風情報を取得する風情報取得手段と、
基点である一の小単位から風が流出する小単位を、当該一の小単位の近傍の小単位の中から、当該一の小単位の前記風情報に基づいて導出する流出先導出手段と、
前記流出先導出手段によって導出された小単位を前記基点として繰り返し前記流出先導出手段を実行する連続導出手段と、
前記連続導出手段による実行過程で得られる連続した小単位に基づいた気流を示す気流情報を表示する気流情報表示手段と、
を備え、
前記流出先導出手段は、一の小単位の前記風情報に基づく風の流出量と、近傍の各小単位の前記風情報に基づく風の流入量とを算出し、算出された一の小単位の風の流出量と近傍の各小単位の風の流入量とに基づいて、近傍の小単位のうち、風の流入量が最も多い小単位、又は風の流入量が所定の閾値以上である一つ以上の小単位を、風の流出先の小単位として導出する、
気流表示装置。
【請求項３】
前記連続導出手段は、前記建物の開口部に接した小単位を出発点として繰り返し前記流出先導出手段を実行する、
請求項１又は２に記載の気流表示装置。
【請求項４】
前記連続導出手段は、繰り返しが所定の回数に達するまで、導出された小単位が前記建物の開口部に接した小単位となるまで、又は、導出される各小単位について当該小単位の前記風情報に基づいて気流が拡散したか否かを判定し、拡散したと判定されるまで、繰り返し前記流出先導出手段を実行する、
請求項１〜３の何れか一項に記載の気流表示装置。
【請求項５】
前記建物内の構造配置に関する建物情報を取得する建物情報取得手段をさらに備え、
前記気流情報表示手段は、前記建物情報取得手段によって取得された建物情報が示す建物内の構造配置を表示すると共に、前記気流情報を重ね合わせて表示する、
請求項１〜４の何れか一項に記載の気流表示装置。
【請求項６】
前記気流情報表示手段は、前記建物内で合流しない２つ以上の気流をそれぞれ異なる表示形式で表示する、
請求項１〜５の何れか一項に記載の気流表示装置。
【請求項７】
前記気流情報表示手段は、気流情報を、当該気流情報が基づく小単位の風情報に基づいた表示形式にて表示する、又は、気流の出発点からの距離に基づいた表示形式にて表示する、
請求項１〜６の何れか一項に記載の気流表示装置。
【請求項８】
小単位は、建物内の三次元空間の一部を示す三次元の立体であり、
前記気流情報表示手段は、前記連続導出手段による実行過程で得られる連続した小単位に基づいた建物内の三次元の気流を示す気流情報を、三次元で表示する、
請求項１〜７の何れか一項に記載の気流表示装置。
【請求項９】
小単位は、建物内の三次元空間の一部を示す三次元の立体であり、
前記気流情報表示手段は、前記連続導出手段による実行過程で得られる連続した小単位に基づいた建物内の三次元の気流を示す気流情報を、平面上に投影した二次元で表示する、
請求項１〜７の何れか一項に記載の気流表示装置。
【請求項１０】
気流表示装置により実行される気流表示方法であって、
建物内の空間を複数の小単位に分割した各当該小単位での風向及び風速に関する風情報を取得する風情報取得ステップと、
基点である一の小単位から風が流出する小単位を、当該一の小単位の近傍の小単位の中から、当該一の小単位の前記風情報に基づいて導出する流出先導出ステップと、
前記流出先導出ステップによって導出された小単位を前記基点として繰り返し前記流出先導出ステップを実行する連続導出ステップと、
前記連続導出ステップによる実行過程で得られる連続した小単位に基づいた気流を示す気流情報を表示する気流情報表示ステップと、
を含み、
前記流出先導出ステップは、一の小単位の前記風情報に基づく風向と、近傍の各小単位の前記風情報に基づく風向とのなす角度を算出し、なす角度が最も小さい、あるいは所定の角度以下の近傍の小単位を、風の流出先の小単位として導出する、
気流表示方法。
【請求項１１】
気流表示装置により実行される気流表示方法であって、
建物内の空間を複数の小単位に分割した各当該小単位での風向及び風速に関する風情報を取得する風情報取得ステップと、
基点である一の小単位から風が流出する小単位を、当該一の小単位の近傍の小単位の中から、当該一の小単位の前記風情報に基づいて導出する流出先導出ステップと、
前記流出先導出ステップによって導出された小単位を前記基点として繰り返し前記流出先導出ステップを実行する連続導出ステップと、
前記連続導出ステップによる実行過程で得られる連続した小単位に基づいた気流を示す気流情報を表示する気流情報表示ステップと、
を含み、
前記流出先導出ステップは、一の小単位の前記風情報に基づく風の流出量と、近傍の各小単位の前記風情報に基づく風の流入量とを算出し、算出された一の小単位の風の流出量と近傍の各小単位の風の流入量とに基づいて、近傍の小単位のうち、風の流入量が最も多い小単位、又は風の流入量が所定の閾値以上である一つ以上の小単位を、風の流出先の小単位として導出する、
気流表示方法。
【発明の詳細な説明】
【技術分野】
【０００１】
本発明は、建物内の気流をより正確に表示することができる気流表示装置及び気流表示方法に関する。
【背景技術】
【０００２】
従来、建物内の風の経路を表示するシステムが知られている。例えば、下記特許文献１に記載の通風・温熱診断システムは、建物の開口間を通過する建物内部の風の経路を表示する。
【先行技術文献】
【特許文献】
【０００３】
【特許文献１】特開２００７−１１５０４１号公報
【発明の概要】
【発明が解決しようとする課題】
【０００４】
上記通風・温熱診断システムは、建物内部の風の経路については計算を行わずに、風の流入する開口の位置を起点とし、風の流出する開口の位置を終点とした任意の曲線を表示しているだけであり、建物内の風の流れ（気流）を正確に表示するものではない。
【０００５】
そこで、本発明は、かかる課題に鑑みて為されたものであり、建物内の気流をより正確に表示することができる気流表示装置及び気流表示方法を提供することを目的とする。
【課題を解決するための手段】
【０００６】
上記課題を解決するため、気流表示装置は、建物内の空間を複数の小単位に分割した各当該小単位での風向及び風速に関する風情報を取得する風情報取得手段と、基点である一の小単位から風が流出する小単位を、当該一の小単位の近傍の小単位の中から、当該一の小単位の風情報に基づいて導出する流出先導出手段と、流出先導出手段によって導出された小単位を基点として繰り返し流出先導出手段を実行する連続導出手段と、連続導出手段による実行過程で得られる連続した小単位に基づいた気流を示す気流情報を表示する気流情報表示手段と、を備える。係る構成を採れば、一の小単位を基点とした風の流出先となる連続した小単位に基づいた気流を示す気流情報が表示されるため、建物内の気流をより正確に表示することができる。
【０００７】
また、本発明の気流表示装置において、流出先導出手段は、風の流出先の小単位を、当該近傍の小単位の風情報にさらに基づいて導出することとしてもよい。係る構成を採れば、風の流出元及び流出先の小単位の風得情報に基づいて風の流出先の小単位が導出されるため、より正確な流出先の小単位を導出することができる。
【０００８】
また、本発明の気流表示装置において、連続導出手段は、建物の開口部に接した小単位を出発点として繰り返し流出先導出手段を実行することとしてもよい。係る構成を採れば、建物の開口部からの気流を示す気流情報を表示することができる。これにより、例えばユーザは、建物の外部から流入する空気が建物内でどのように吹き抜けるかを正確に把握することができる。
【０００９】
また、本発明の気流表示装置において、連続導出手段は、繰り返しが所定の回数に達するまで、導出された小単位が建物の開口部に接した小単位となるまで、又は、導出される各小単位について当該小単位の風情報に基づいて気流が拡散したか否かを判定し、拡散したと判定されるまで、繰り返し流出先導出手段を実行することとしてもよい。例えば、繰り返しが所定の回数に達するまで、繰り返し流出先導出手段を実行することで、計算処理の負荷を抑えることができる。また例えば、導出された小単位が建物の開口部に接した小単位となるまで、繰り返し流出先導出手段を実行することで、建物の開口部間の気流を示す気流情報を表示することができる。これにより、ユーザは、建物の外部から流入して建物の外部に流出するまでの空気が建物内でどのように吹き抜けるかを正確に把握することができる。また例えば、拡散したと判定されるまで、繰り返し流出先導出手段を実行することで、ユーザは建物内のどこで気流が拡散するかを正確に把握することができる。
【００１０】
また、本発明の気流表示装置において、建物内の構造配置に関する建物情報を取得する建物情報取得手段をさらに備え、気流情報表示手段は、建物情報取得手段によって取得された建物情報が示す建物内の構造配置を表示すると共に、気流情報を重ね合わせて表示することとしてもよい。係る構成を採れば、例えば、建物内の壁、間仕切り、床、階段等の配置と共に気流を示す気流情報が表示されるため、ユーザはより視覚的に建物内の気流を容易に把握することができる。
【００１１】
また、本発明の気流表示装置において、気流情報表示手段は、建物内で合流しない２つ以上の気流をそれぞれ異なる表示形式で表示することとしてもよい。係る構成を採れば、ユーザは建物内で合流しない気流を容易に把握することができる。
【００１２】
また、本発明の気流表示装置において、気流情報表示手段は、気流情報を、当該気流情報が基づく小単位の風情報に基づいた表示形式にて表示する、又は、気流の出発点からの距離に基づいた表示形式にて表示することとしてもよい。例えば、気流情報を、当該気流情報が基づく小単位の風情報に基づいた表示形式にて表示することで、ユーザは気流の各位置での風向や風速を容易に把握することができ、気流のイメージを容易かつ正確につかむことができる。また例えば、気流情報を、気流の出発点からの距離に基づいた表示形式にて表示することで、ユーザは空気の到達範囲を容易かつ正確に把握することができる。
【００１３】
また、本発明の気流表示装置において、小単位は、建物内の三次元空間の一部を示す三次元の立体であり、気流情報表示手段は、連続導出手段による実行過程で得られる連続した小単位に基づいた建物内の三次元の気流を示す気流情報を、三次元で表示することとしてもよい。係る構成を採れば、ユーザは建物内の気流を三次元で容易かつ正確に把握することができる。
【００１４】
また、本発明の気流表示装置において、小単位は、建物内の三次元空間の一部を示す三次元の立体であり、気流情報表示手段は、連続導出手段による実行過程で得られる連続した小単位に基づいた建物内の三次元の気流を示す気流情報を、平面上に投影した二次元で表示することとしてもよい。係る構成を採れば、ユーザは建物内の気流を二次元で容易かつ正確に把握することができる。
【００１５】
ところで、本発明は、上記のように気流表示装置の発明として記述できる他に、以下のように気流表示方法の発明としても記述することができる。これはカテゴリが異なるだけで、実質的に同一の発明であり、同様の作用及び効果を奏する。
【００１６】
即ち、本発明に係る気流表示方法は、気流表示装置により実行される気流表示方法であって、建物内の空間を複数の小単位に分割した各当該小単位での風向及び風速に関する風情報を取得する風情報取得ステップと、基点である一の小単位から風が流出する小単位を、当該一の小単位の近傍の小単位の中から、当該一の小単位の風情報に基づいて導出する流出先導出ステップと、流出先導出ステップによって導出された小単位を基点として繰り返し流出先導出ステップを実行する連続導出ステップと、連続導出ステップによる実行過程で得られる連続した小単位に基づいた気流を示す気流情報を表示する気流情報表示ステップと、を含む。
【発明の効果】
【００１７】
本発明によれば、建物内の気流をより正確に表示することができる。
【図面の簡単な説明】
【００１８】
【図１】本発明の実施形態に係る気流表示装置の機能ブロック図である。
【図２】本発明の実施形態に係る気流表示装置のハードウェア構成を示す図である。
【図３】複数の小単位に分割された建物内の三次元空間を示す図である。
【図４】風情報格納部に格納されたテーブルの一例を示す図である。
【図５】対象の小単位の近傍にある小単位を示す図である。
【図６】連続小単位格納部に格納されたテーブルの一例を示す図である。
【図７】建物内の気流の表示例（その１）を示す図である。
【図８】建物内の気流の表示例（その２）を示す図である。
【図９】建物内の気流の表示例（その３）を示す図である。
【図１０】建物内の気流の表示例（その４）を示す図である。
【図１１】建物内の気流の表示例（その５）を示す図である。
【図１２】建物内の気流の表示例（その６）を示す図である。
【図１３】建物内の気流を平面上に投影した二次元の表示例を示す図である。
【図１４】本発明の実施形態に係る気流表示装置で実行される処理（気流表示方法）を示すフローチャートである。
【図１５】図１４に示すフローチャートのうち連続した導出処理の詳細を示すフローチャートである。
【発明を実施するための形態】
【００１９】
以下、図面とともに本発明による気流表示装置及び気流表示方法の好適な実施形態について詳細に説明する。なお、図面の説明においては同一要素には同一符号を付し、重複する説明を省略する。
【００２０】
図１は、本発明の実施形態に係る気流表示装置１の機能ブロック図である。気流表示装置１は、所定の建物内の連続した空気の流れである気流を表示する装置である。本実施形態において、所定の建物は、所定の建物内の所定の部屋や、所定の建物内の所定の一部空間に置き換えてもよい。
【００２１】
図１に示す通り、気流表示装置１は、入力部１０（建物情報取得手段）、風情報算出部１１、風情報格納部１２、風情報取得部１３（風情報取得手段）、連続導出部１４（連続導出手段）、連続小単位格納部１５、及び、気流情報表示部１６（気流情報表示手段）を含んで構成される。また、連続導出部１４は、流出先導出部１４０（流出先導出手段）を含んで構成される。
【００２２】
気流表示装置１は、ＣＰＵ等のハードウェアから構成されているものである。図２は、気流表示装置１のハードウェア構成の一例を示す図である。図１に示される気流表示装置１は、物理的には、図２に示すように、ＣＰＵ１００、主記憶装置であるＲＡＭ１０１及びＲＯＭ１０２、ディスプレイ等の入出力装置１０３、通信モジュール１０４、及び補助記憶装置１０５などを含むコンピュータシステムとして構成されている。
【００２３】
図１に示す気流表示装置１の各機能ブロックの機能は、図２に示すＣＰＵ１００、ＲＡＭ１０１等のハードウェア上に所定のコンピュータソフトウェアを読み込ませることにより、ＣＰＵ１００の制御のもとで入出力装置１０３、通信モジュール１０４、及び補助記憶装置１０５を動作させるとともに、ＲＡＭ１０１におけるデータの読み出し及び書き込みを行うことで実現される。
【００２４】
以下、図１に示す気流表示装置１の各機能ブロックについて説明する。
【００２５】
入力部１０は、ユーザから入出力装置１０３等を介して、又は、ネットワークで接続された他のコンピュータ装置等から通信モジュール１０４を介して、入力データを入力（取得）する。入力部１０は、入力した入力データを、後述の風情報算出部１１、連続導出部１４及び気流情報表示部１６に出力する。
【００２６】
入力データには、後述の風情報算出部１１による算出で必要となるデータが含まれる。例えば、入力データには、対象とする建物の建物情報、当該建物周辺の気象データ、当該建物周辺に位置する建物の建物情報、及び当該算出での算出条件等が含まれる。建物情報には、例えば、建物設計に関するデータ、建物内の構造配置に関するデータ、間取りに関するデータ、（窓等の）開口部に関するデータ、及び、緯度経度など建物の位置情報に関するデータが含まれる。気象データには、例えば、気象庁等が提供する年間気象データや、季節に関するデータ、時刻に関するデータ、並びに、屋外（対象とする建物周辺）の外気の風向及び風速に関するデータが含まれる。算出条件には、例えば、後述の小単位（小立体）の大きさ（横幅、奥行き及び高さ）に関するデータ、及び、算出に利用する算出アルゴリズムに関するデータが含まれる。
【００２７】
入力データには、後述の連続導出部１４による算出で必要となるデータ、例えば最初の基点となる小単位に関するデータや、開口部に関するデータや、流出先導出部１４０の実行の繰り返し回数に関するデータ等も含まれてもよい。また、入力データには、後述の気流情報表示部１６による表示で必要となるデータ、例えば気流情報を二次元で表示する際の平面を指定するデータ等も含まれてもよい。
【００２８】
風情報算出部１１は、入力部１０によって入力された入力データに基づいて、対象とする建物内の三次元空間を複数の小単位（立体、直方体、三次元メッシュ）に分割した各当該小単位での風向及び風速に関する風情報を算出する。本実施形態において、小単位は、建物内の三次元空間の一部を示す三次元の立体である。図３は、複数の小単位に分割された建物内の三次元空間を示す図である。図３では、わかりやすく省略した表記としており、建物内の三次元空間の一部を小単位で分割している。図３では、建物内の三次元空間の一部が、地平面方向に４個、鉛直方向に５段の計２０個の小単位によって分割されている。小単位の大きさは一律であってもよいし、一律でなくてもよい。また、小単位の大きさは予め設定されていてもよいし、入力部１０によって入力された入力データに含まれる小単位の大きさに関するデータに基づいて設定してもよい。
【００２９】
小単位での風向及び風速に関する風情報とは、小単位である三次元空間内における風向及び風速を代表する風向及び風速を示す情報であって、例えば、風向をベクトルの向きで表現し、風速をベクトルの長さで表現した三次元ベクトルに関する情報である。
【００３０】
風情報算出部１１は、各小単位での風情報を、入力部１０によって入力された入力データに含まれる、対象とする建物の建物情報、気象データ、当該建物周辺に位置する建物の建物情報、及び、算出条件等の少なくとも一つ以上に基づいて算出する。例えば、風情報算出部１１は、ＣＦＤ（Computational  Fluid  Dynamics：数値流体力学）に基づく既存技術により建物内の各小単位での風情報を算出する。風情報算出部１１は、算出した風情報を、後述の風情報格納部１２及び風情報取得部１３に出力する。なお、風情報算出部１１において、空気の温度、密度、粘度、及び空気以外の不純物の濃度等の要素の影響を考慮して風情報を算出するようにもよい。
【００３１】
風情報格納部１２は、風情報算出部１１から入力された風情報を格納する。図４は、風情報格納部１２によって格納されたテーブルの一例を示す図である。図４に示すテーブル例では、小単位を一意に識別する識別情報である「小単位ＩＤ」と、建物内の三次元空間における当該小単位の位置（例えば、三次元空間での座標）を示す「小単位位置」と、当該小単位での風向及び風速（例えば、上述の、風向をベクトルの向きで表現し、風速をベクトルの長さで表現した三次元ベクトル。図４のテーブル例では原点を始点としたベクトル表記）とが関連付いて格納されている。
【００３２】
風情報取得部１３は、建物内の（三次元）空間を複数の小単位に分割した各当該小単位での風向及び風速に関する風情報を取得する。具体的に、風情報取得部１３は、風情報算出部１１から入力された風情報を取得する、風情報格納部１２によって格納された風情報を取得する、又は、ネットワークで接続された他のコンピュータ装置から風得情報を取得する。風情報取得部１３は、取得した風情報を後述の連続導出部１４及び気流情報表示部１６に出力する。
【００３３】
流出先導出部１４０は、基点である一の小単位から風が流出する小単位を、当該一の小単位の近傍の小単位（群）の中から、当該一の小単位の風情報に基づいて導出（選択）する。一の小単位は、予め設定されていてもよいし、入力部１０から入力された最初の基点となる小単位に関するデータに基づいて決定されてもよいし、入出力装置１０３を介してユーザがインタラクティブに設定してもよい。近傍とは、例えば、一の小単位と（頂点、辺又は面が）接する小単位である。図５は、対象の小単位の近傍にある小単位を示す図である。図５において、幅方向に３つ、奥行き方向に３つ、及び高さ方向に３つの計２７個の小単位のうち、中心にある（色付けされた）小単位を基点となる一の小単位とする。この場合、一の小単位の近傍の小単位は、一の小単位と頂点、辺又は面が接する、残りの２６個の小単位である。なお、近傍の小単位の定義は上述のものに限られず、例えば、一の小単位と辺又は面のみが接する小単位（１８個の小単位）、一の小単位と面のみが接する小単位（６個の小単位）、一の小単位から所定の距離内にある小単位などであってもよい。
【００３４】
流出先導出部１４０は、一の小単位の風情報に基づいて、空気の流れが連続していると判定した近傍の小単位を、風の流出先の小単位として導出する。すなわち、流出先導出部１４０は、空気の流れに基づいて風の流出先の小単位を導出する。例えば、流出先導出部１４０は、一の小単位の風情報に基づく風向、風速、及び圧力差のうち少なくとも一つ以上に基づいて、近傍の小単位のうち一つ以上の小単位を、空気の流れが連続していると判定する。例えば、流出先導出部１４０は、一の小単位の中心を基点として、当該一の小単位の風情報に基づく風向が指し示す方向に存在する近傍の小単位を、風の流出先の小単位として導出してもよい。流出先導出部１４０は、近傍の小単位のうち一つ以上の小単位を、一の小単位からの風の流出先の小単位として導出してもよい。
【００３５】
流出先導出部１４０は、風の流出先の小単位を、当該近傍の小単位の風情報にさらに基づいて導出してもよい。例えば、流出先導出部１４０は、一の小単位の風情報に基づく風向、風速、及び圧力差のうち少なくとも一つ以上、並びに近傍の各小単位の風情報に基づく風向、風速、及び圧力差のうち少なくとも一つ以上に基づいて、近傍の小単位の中から一つ以上の小単位を風の流出先の小単位として導出する。例えば、流出先導出部１４０は、一の小単位の風情報に基づく風向と、近傍の各小単位の風情報に基づく風向とのなす角度を算出し、なす角度が最も小さい、あるいは所定の角度以下の近傍の小単位を、風の流出先の小単位として導出してもよい。また、例えば、流出先導出部１４０は、一の小単位の風情報に基づく風の流出量と、近傍の各小単位の風情報に基づく風の流入量とを算出し、算出された一の小単位の風の流出量と近傍の各小単位の風の流入量とに基づいて、近傍の小単位のうち、風の流入量が最も多い小単位、又は風の流入量が所定の閾値以上である一つ以上の小単位を、風の流出先の小単位として導出してもよい。
【００３６】
連続導出部１４は、流出先導出部１４０によって導出された小単位を基点として繰り返し流出先導出部１４０を実行する。例えば、流出先導出部１４０によって小単位Ａを基点として、風の流出先の小単位Ｂが導出された場合、連続導出部１４は、続いて、小単位Ｂを基点として流出先導出部１４０を実行する。それにより、流出先導出部１４０によって小単位Ｂを基点として、風の流出先の小単位Ｃが導出された場合、連続導出部１４は、続いて、小単位Ｃを基点として流出先導出部１４０を実行する。連続導出部１４は、以上のように流出先導出部１４０を繰り返し実行する。なお、例えば、例えば、流出先導出部１４０によって小単位Ａを基点として、風の流出先の小単位Ｂ及び小単位Ｃが導出された場合（すなわち、複数の小単位が導出された場合）、連続導出部１４は、続いて、小単位Ｂを基点として流出先導出部１４０を実行すると共に、小単位Ｃを基点として流出先導出部１４０を実行する。連続導出部１４は、流出先導出部１４０による実行過程で得られる連続した小単位を、後述の連続小単位格納部１５及び気流情報表示部１６に出力する。
【００３７】
連続導出部１４は、入力部１０から入力された建物の開口部に関するデータに基づいて、建物の開口部に接した小単位を出発点として繰り返し流出先導出部１４０を実行してもよい。また、連続導出部１４は、建物の開口部に接した小単位が複数ある場合、各小単位の風情報に基づいて出発点となる小単位を選択してもよい。例えば、連続導出部１４は、最大の風速を持つ小単位や、所定の風速以上の小単位を、出発点となる小単位として選択してもよい。
【００３８】
連続導出部１４は、繰り返しが所定の回数に達するまで、導出された小単位が建物の開口部に接した小単位となるまで、又は、導出される各小単位について当該小単位の風情報に基づいて気流が拡散したか否かを判定し、拡散したと判定されるまで、繰り返し流出先導出部１４０を実行してもよい。連続導出部１４は、繰り返しの所定の回数を、入力部１０により入力された繰り返し回数に関するデータに基づいて取得してもよいし、連続導出部１４が入出力装置１０３を介してユーザからインタラクティブに取得してもよい。また、連続導出部１４は、導出された小単位が建物の開口部に接した小単位であるか否かを、入力部１０から入力された建物の開口部に関するデータ（開口部の位置情報を含む）及び当該導出された小単位の位置（例えば図４に示す「小単位位置」に基づく）に基づいて判定する。また、連続導出部１４は、導出される各小単位について当該小単位の風情報に含まれる風向及び風速の何れか一つ以上に基づいて気流が拡散したか否かを判定する。例えば、連続導出部１４は、導出される各小単位について当該小単位の風情報に含まれる風速が所定の風速未満である場合に、気流が拡散したと判定する。
【００３９】
連続小単位格納部１５は、連続導出部１４から入力された連続した小単位に関する情報を格納する。図６は、連続小単位格納部１５によって格納されたテーブルの一例を示す図である。図６に示すテーブル例では、連続導出部１４から入力された（一の小単位を基点とした）連続した小単位を一つの気流とし、当該気流を識別する識別情報（「気流ＩＤ」）を割り当て、当該気流に含まれる一つ以上の小単位の小単位ＩＤを対応付けている。例えば、図６に示すテーブル例において、気流ＩＤが「１」の気流は、小単位ＩＤが「１」、「３」、「７」、「１０」等の小単位から構成されることを示している。
【００４０】
気流情報表示部１６は、連続導出部１４による実行過程で得られる連続した小単位、より具体的には、連続導出部１４から入力された連続した小単位、又は、連続小単位格納部１５によって格納された連続した小単位、に基づいた気流を示す気流情報を表示する。気流情報表示部１６は、連続導出部１４による実行過程で得られる連続した小単位に基づいた建物内の三次元の気流を示す気流情報を、三次元で表示してもよい。気流情報表示部１６は、入力部１０により入力された入力データに含まれる建物情報が示す建物内の構造配置を表示すると共に、気流情報を重ね合わせて表示してもよい。
【００４１】
図７及び図８は、気流情報表示部１６による建物内の気流情報の（三次元での）表示例を示す図である。図７では、建物内の三次元空間において、建物内の構造配置である開口部Ｗ１及び開口部Ｗ２が表示されると共に、開口部Ｗ１から開口部Ｗ２までの気流が、気流を構成する連続した小単位の各位置に立体を配置することで、表示されている。同様に、図８では、建物内の三次元空間において、建物内の構造配置である開口部Ｗ１、開口部Ｗ２及び開口部Ｗ３が表示されると共に、開口部Ｗ１から開口部Ｗ２及び開口部Ｗ３までの気流が、気流を構成する連続した小単位の各位置に立体を配置することで、表示されている。なお、本実施形態では、建物内の構造配置として開口部を表示する例を挙げているが、開口部以外に、壁、間仕切り、床、階段、吹き抜け、ドア等を表示してもよい。
【００４２】
気流情報表示部１６は、建物内で合流しない２つ以上の気流をそれぞれ異なる表示形式で表示してもよい。図９は、気流情報表示部１６による建物内の合流しない２つの気流を示す気流情報の表示例を示す図である。図９に示す通り、開口部Ｗ１から開口部Ｗ２及び開口部Ｗ３までの気流と、開口部Ｗ４から開口部Ｗ５までの気流とは、異なる色付けで表示されている。
【００４３】
気流情報表示部１６は、気流情報を、当該気流情報が基づく小単位の風情報に基づいた表示形式にて表示してもよい。図１０及び図１１は、気流情報表示部１６による建物内の気流情報の表示例を示す図である。図１０に示す通り、気流情報は、当該気流情報が基づく連続した小単位それぞれの風情報に含まれる風向及び風速を示す三次元ベクトルで表示されている。また、図１１に示す通り、気流情報は、当該気流情報が基づく連続した小単位それぞれの風情報に含まれる風速の大きさに基づく濃淡（風速が大きいほど濃くなる）にて色づけされた立体で表示されている。
【００４４】
気流情報表示部１６は、気流情報を、気流の出発点からの距離に基づいた表示形式にて表示してもよい。図１２は、気流情報表示部１６による建物内の気流情報の表示例を示す図である。図１２に示す通り、気流情報は、気流の出発点からの距離に基づく濃淡（距離が遠くなるほど淡くなる）にて色づけされた立体で表示されている。
【００４５】
気流情報表示部１６は、連続導出部１４による実行過程で得られる連続した小単位に基づいた建物内の三次元の気流を示す気流情報を、平面上に投影した二次元で表示してもよい。平面は、予め設定されていてもよいし、入力部１０により入力される平面を指定するデータに基づいて設定されてもよいし、入出力装置１０３を介してユーザがインタラクティブに設定してもよい。図１３は、図７で示した建物内の三次元の気流情報を平面上に投影した二次元の表示例を示す図である。なお、建物の床をＸＹ平面としてｘ軸及びｙ軸を取り、ｘ軸及びｙ軸に直交する軸をｚ軸とする。図１３において、Ｚ断面とは、左記ｘ軸、ｙ軸及びｚ軸で構成される三次元空間において、ｚが所定の値（例えばｚ＝１．５）の平面断面（ｚ軸を垂直に横切る水平面）である。同様に、Ｘ断面とは、ｘが所定の値（例えばｘ＝０）の平面断面（ｘ軸を垂直に横切る面）であり、Ｙ断面とは、ｙが所定の値（例えばｙ＝０）の平面断面（ｙ軸を垂直に横切る面）である。図１３に示す通り、図７で示した建物内の三次元の気流情報が、Ｘ断面（例えば、側面から見た投影表現）、Ｙ断面（例えば、正面から見た投影表現）及びＺ断面（例えば、上から見た投影表現）に投影され、各断面にて二次元で表示されている。
【００４６】
続いて、図１４に示すフローチャート図を用いて、本実施形態に係る気流表示装置１における気流表示方法の処理について説明する。
【００４７】
まず、入力部１０により、入力データが入力される（ステップＳ１）。次に、風情報算出部１１により、建物内が小単位に分割され（ステップＳ２）、Ｓ１にて入力された入力データに基づいて、各小単位の風情報が算出される（ステップＳ３）。次に、風情報取得部１３により、Ｓ３にて算出された各小単位の風情報が取得される（ステップＳ４、風情報取得ステップ）。次に、連続導出部１４により、一の小単位を基点として、風の流出先となる連続した小単位が導出される（ステップＳ５、流出先導出ステップ、連続導出ステップ）。次に、気流情報表示部１６により、平面Ｓ上の気流情報が表示される（ステップＳ６、気流情報表示ステップ）。
【００４８】
次に、図１５に示すフローチャート図を用いて、図１４に示すフローチャートのうちＳ５での処理の詳細について説明する。
【００４９】
まず、（図１４の）Ｓ４の処理に続いて、流出先導出部１４０（又は連続導出部１４）により、一の小単位が選択される（ステップＳ５０）。次に、流出先導出部１４０により、Ｓ５０にて選択された一の小単位を基点として、当該一の小単位からの風の流出先の小単位が導出される（ステップＳ５１）。次に、連続導出部１４により、流出先導出部１４０の実行処理の繰り返し条件が満たされるか否かが判定される（ステップＳ５２）。Ｓ５２にて繰り返し条件が満たされると判定されると、流出先導出部１４０により、Ｓ５１の処理が再度実行される。この際の基点となる小単位は、前回のＳ５１での処理にて導出された風の流出先の小単位である。Ｓ５２にて繰り返し条件が満たされないと判定されると、（図１４の）Ｓ６の処理に進む。
【００５０】
次に、本実施形態のように構成された気流表示装置１の作用効果について説明する。
【００５１】
本実施形態の気流表示装置１によれば、建物内の空間を複数の小単位に分割した各当該小単位での風向及び風速に関する風情報を取得する風情報取得部１３と、基点である一の小単位から風が流出する小単位を、当該一の小単位の近傍の小単位の中から、当該一の小単位の風情報に基づいて導出する流出先導出部１４０と、流出先導出部１４０によって導出された小単位を基点として繰り返し流出先導出部１４０を実行する連続導出部１４と、連続導出部１４による実行過程で得られる連続した小単位に基づいた気流を示す気流情報を表示する気流情報表示部１６と、を備える。係る構成を採れば、一の小単位を基点とした風の流出先となる連続した小単位に基づいた気流を示す気流情報が表示されるため、建物内の気流をより正確に表示することができる。
【００５２】
また、本実施形態の気流表示装置１によれば、流出先導出部１４０は、風の流出先の小単位を、当該近傍の小単位の風情報にさらに基づいて導出することとしてもよい。係る構成を採れば、風の流出元及び流出先の小単位の風得情報に基づいて風の流出先の小単位が導出されるため、より正確な流出先の小単位を導出することができる。
【００５３】
また、本実施形態の気流表示装置１によれば、連続導出部１４は、建物の開口部に接した小単位を出発点として繰り返し流出先導出部１４０を実行することとしてもよい。係る構成を採れば、建物の開口部からの気流を示す気流情報を表示することができる。これにより、例えばユーザは、建物の外部から流入する空気が建物内でどのように吹き抜けるかを正確に把握することができる。
【００５４】
また、本実施形態の気流表示装置１によれば、連続導出部１４は、繰り返しが所定の回数に達するまで、導出された小単位が建物の開口部に接した小単位となるまで、又は、導出される各小単位について当該小単位の風情報に基づいて気流が拡散したか否かを判定し、拡散したと判定されるまで、繰り返し流出先導出部１４０を実行することとしてもよい。例えば、繰り返しが所定の回数に達するまで、繰り返し流出先導出部１４０を実行することで、計算処理の負荷を抑えることができる。また例えば、導出された小単位が建物の開口部に接した小単位となるまで、繰り返し流出先導出部１４０を実行することで、建物の開口部間の気流を示す気流情報を表示することができる。これにより、ユーザは、建物の外部から流入して建物の外部に流出するまでの空気が建物内でどのように吹き抜けるかを正確に把握することができる。また例えば、拡散したと判定されるまで、繰り返し流出先導出部１４０を実行することで、ユーザは建物内のどこで気流が拡散するかを正確に把握することができる。
【００５５】
また、本実施形態の気流表示装置１によれば、建物内の構造配置に関する建物情報を取得する入力部１０をさらに備え、気流情報表示部１６は、入力部１０によって取得された建物情報が示す建物内の構造配置を表示すると共に、気流情報を重ね合わせて表示することとしてもよい。係る構成を採れば、例えば、建物内の壁、間仕切り、床、階段等の配置と共に気流を示す気流情報が表示されるため、ユーザはより視覚的に建物内の気流を容易に把握することができる。
【００５６】
また、本実施形態の気流表示装置１によれば、気流情報表示部１６は、建物内で合流しない２つ以上の気流をそれぞれ異なる表示形式で表示することとしてもよい。係る構成を採れば、ユーザは建物内で合流しない気流を容易に把握することができる。
【００５７】
また、本実施形態の気流表示装置１によれば、気流情報表示部１６は、気流情報を、当該気流情報が基づく小単位の風情報に基づいた表示形式にて表示する、又は、気流の出発点からの距離に基づいた表示形式にて表示することとしてもよい。例えば、気流情報を、当該気流情報が基づく小単位の風情報に基づいた表示形式にて表示することで、ユーザは気流の各位置での風向や風速を容易に把握することができ、気流のイメージを容易かつ正確につかむことができる。また例えば、気流情報を、気流の出発点からの距離に基づいた表示形式にて表示することで、ユーザは空気の到達範囲を容易かつ正確に把握することができる。
【００５８】
また、本実施形態の気流表示装置１によれば、小単位は、建物内の三次元空間の一部を示す三次元の立体であり、気流情報表示部１６は、連続導出部１４による実行過程で得られる連続した小単位に基づいた建物内の三次元の気流を示す気流情報を、三次元で表示することとしてもよい。係る構成を採れば、ユーザは建物内の気流を三次元で容易かつ正確に把握することができる。
【００５９】
また、本実施形態の気流表示装置１によれば、小単位は、建物内の三次元空間の一部を示す三次元の立体であり、気流情報表示部１６は、連続導出部１４による実行過程で得られる連続した小単位に基づいた建物内の三次元の気流を示す気流情報を、平面上に投影した二次元で表示することとしてもよい。係る構成を採れば、ユーザは建物内の気流を二次元で容易かつ正確に把握することができる。
【００６０】
なお、本実施形態では、気流表示装置１が建物内の三次元空間の気流を表示する例の説明を行ったが、三次元空間の気流に限定されるものではない。例えば、気流表示装置１は、建物内の二次元空間の気流を表示してもよい。その場合、風情報取得部１３は、建物内の空間を複数の二次元メッシュに分割した各当該二次元メッシュでの風向及び風速に関する風情報を取得し、流出先導出部１４０は、一の二次元メッシュを基点として、当該一の二次元メッシュの近傍の二次元メッシュのうち、当該一の二次元メッシュからの風の流出先の二次元メッシュを、当該一の二次元メッシュの風情報に基づいて導出し、連続導出部１４は、流出先導出部１４０によって導出された二次元メッシュを基点として繰り返し流出先導出部１４０を実行し、気流情報表示部１６は、連続導出部１４による実行過程で得られる連続した二次元メッシュに基づいた気流を示す気流情報を表示する。
【００６１】
以上の通り、本実施形態の気流表示装置１によれば、建物内部における三次元の連続した空気の流れをより正確に表示することができる。これにより、例えばユーザは、居住空間の設計時に、気流表示装置１によって表示された気流に基づいて、開口部位置計画に反映して、より快適な居住空間を提供することができる。
【符号の説明】
【００６２】
１…気流表示装置、１０…入力部、１１…風情報算出部、１２…風情報格納部、１３…風情報取得部、１４…連続導出部、１５…連続小単位格納部、１６…気流情報表示部、１００…ＣＰＵ、１０１…ＲＡＭ、１０２…ＲＯＭ、１０３…入出力装置、１０４…通信モジュール、１０５…補助記憶装置、１４０…流出先導出部、Ｗ１〜Ｗ５…開口部。
【図１】
0006552300.tif 000002
【図２】
0006552300.tif 000003
【図３】
0006552300.tif 000004
【図４】
0006552300.tif 000005
【図５】
0006552300.tif 000006
【図６】
0006552300.tif 000007
【図７】
0006552300.tif 000008
【図８】
0006552300.tif 000009
【図９】
0006552300.tif 000010
【図１０】
0006552300.tif 000011
【図１１】
0006552300.tif 000012
【図１２】
0006552300.tif 000013
【図１３】
0006552300.tif 000014
【図１４】
0006552300.tif 000015
【図１５】
0006552300.tif 000016